(57)【要約】【課題】スクリーンを展開した後も皺が寄らないように巻き取られるロールシェードを提供する。【解決手段】ローラー２は軸線を中心として横長に形成されてその長手方向の第一の端部２１ａと該第一の端部と反対側の第二の端部２１ｂとの間の外周面２２に、拡径シート２３が設けられ、スクリーン４の上端縁部が拡径シート２３に固定されていると共にスクリーン４の下端部が拡径シート２３を覆いながらローラー２に巻き取られた状態のスクリーン４の巻取径がヘム部４２の巻取径と等しいか又はそれよりも大きくするようになっている。【選択図】図１
0003162944.tif 000002
【実用新案登録請求の範囲】
【請求項１】
スクリーンがローラーに巻き取られた状態と前記ローラーから繰り出された展開状態の間で操作可能なロールシェードであって、
前記スクリーンは、繰り出し方向に対して両側部にヘム部が形成され、
前記ローラーは、軸線を中心として横長に形成されてその長手方向の第一の端部と該第一の端部と反対側の第二の端部との間の外周面に、拡径シートが設けられ、前記スクリーンの下端部が前記拡径シートを覆いながら前記ローラーに巻き取られた状態において、前記スクリーンの巻取径が前記ヘム部の巻取径と等しいか又はそれよりも大きくするようになっていることを特徴とするロールシェード。
【請求項２】
前記拡径シートは開口部を有するＣの字形状の断面を有し、互いに間隔をおいて前記ローラーの外周面に複数配置され、
前記スクリーンの前記両ヘム部の間の上端縁部が前記拡径シートの開口部の近くにて前記拡径シートと前記ローラーとの間に挟まれて固定されることを特徴とする請求項１に記載のロールシェード。
【請求項３】
前記拡径シートは、前記ローラーの外周面を取り囲む筒状に形成され、該拡径シートの軸方向の両端部の間の中央部が該両端部よりも厚く形成されていることを特徴とする請求項１に記載のロールシェード。
【請求項４】
前記拡径シートは前記スクリーンの両ヘム部を除いた幅をしたシートからなり、前記拡径シートの一端部が前記ローラーの外周面を覆うように設けられ、
前記スクリーンの両ヘム部以外の上端縁が前記拡径シートの他端部の縁と一体に固着されることを特徴とする請求項１に記載のロールシェード。
【考案の詳細な説明】
【技術分野】
【０００１】
本考案はロールシェードに関し、特にロールシェードに関する。
【背景技術】
【０００２】
従来のロールシェードとして例えば図６に示すものがある。従来のロールシェードはローラー１１によりスクリーン１２１の下側に取り付けられたスラット１３を持ってスクリーン１２１が引き出されたり、またそのスラット１３を少し引っ張って離すと自動的に巻き戻されたりすることができるようになっている。スクリーン１２１の生地が軟らかい場合は、スクリーン１２１の両側の縁部にそれぞれヒートプレス等により生地より厚いヘム部１２２、１２２を形成する。これによって、スクリーン１２１が引き出されて展開されたときの展開状態を良好に保つことができる。
【考案の概要】
【考案が解決しようとする課題】
【０００３】
ロールシェード１２は、スクリーン１２１の両側の縁にそれぞれヘム部１２２、１２２を形成すると、展開状態のスクリーン１２１に剛性を付与することができるが、図７に示すように、スクリーン１２１が巻き取られた状態であるとき、ヘム部１２２、１２２の重ね合わせによって両側が隆起する。これによって、両側のヘム部１２２、１２２の間のスクリーン１２１が凹み、とりわけヘム部１２２に近い部分が皺になる。長時間巻いたままだと、図８に示すように、展開されてもその皺が残り、スクリーン１２１が変形することによって、商品としての信頼性を損なうおそれがある。
本考案は、スクリーンを展開した後も皺が寄らないように巻き取られるロールシェードを提供することを目的とする。
【課題を解決するための手段】
【０００４】
上記目的を達成するために、本考案は、スクリーンがローラーに巻き取られた状態と前記ローラーから繰り出された展開状態の間で操作可能なロールシェードであって、前記スクリーンは、繰り出し方向に対して両側部にヘム部が形成され、前記ローラーは、軸線を中心として横長に形成されてその長手方向の第一の端部と該第一の端部と反対側の第二の端部との間の外周面に、拡径シートが設けられ、前記スクリーンの下端部が前記拡径シートを覆いながら前記ローラーに巻き取られた状態において、前記スクリーンの巻取径が前記ヘム部の巻取径と等しいか又はそれよりも大きくするようになっていることを特徴とする。
【０００５】
本考案のロールシェードにおいて、前記拡径シートは、開口部を有するＣの字形状の断面を有し、互いに間隔をおいて前記ローラーの外周面に複数配置され、前記スクリーンの前記両ヘム部の間の上端縁部が前記拡径シートの開口部の近くにて前記拡径シートと前記ローラーとの間に挟まれて固定されることを特徴とする。
【０００６】
本考案のロールシェードにおいて、前記拡径シートはまた、前記ローラーの外周面を取り囲む筒状に形成され、該拡径シートの軸方向の両端部の間の中央部が該両端部よりも厚く形成されることを特徴とする。
【０００７】
本考案のロールシェードにおいて、前記拡径シートはまた、前記スクリーンの両ヘム部を除いた幅をしたシートからなり、前記拡径シートの一端部が前記ローラーの外周面を覆うように設けられ、前記スクリーンの両ヘム部以外の上端縁が前記拡径シートの他端部の縁と一体に固着されることを特徴とする。
【考案の効果】
【０００８】
上記構成によれば、本考案のロールシェードは、スクリーンが拡径シートを覆いながら拡径シートと共にローラーに巻き取られたとき、スクリーンの巻取径がヘム部の巻取径と等しいか又はそれよりも大きくなっているので、とりわけヘム部側のスクリーンの側部が隆起し、両側のヘム部の間のスクリーンが凹むことがなくなる。したがって、本考案のスクリーンはローラーに巻き取られた状態になったとき両側のヘム部の間のスクリーンが凹むようなことがないので、展開されても皺が生じる不都合が大幅に低減されて、商品としての信頼性が大幅に向上される。
【図面の簡単な説明】
【０００９】
【図１】本考案にかかるロールシェードの第１の実施形態を概略的に示す図である。
【図２】本考案にかかるロールシェードの第１の実施形態においてスクリーンがローラーに巻き取られた状態を概略的に示す断面図である。
【図３】本考案にかかるロールシェードの第２の実施形態を概略的に示す図である。
【図４】本考案にかかるロールシェードの第２の実施形態においてスクリーンがローラーに巻き取られた状態を概略的に示す断面図である。
【図５】本考案にかかるロールシェードの第３の実施形態を概略的に示す図である。
【図６】従来例のロールシェードのスクリーンが巻き取られた状態を概略的に示す斜視図である。
【図７】従来例のロールシェードを概略的に示す断面図である。
【図８】従来例のロールシェードの展開状態を概略的に示す図である。
【考案を実施するための形態】
【００１０】
以下、本考案の実施形態を図面に基づいて説明する。なお、同一構成及び機能を有する構成要素については、同一番号を付してその説明を省略する。
【００１１】
[第１の実施形態]
図１は、本考案にかかるロールシェードの第１の実施形態を概略的に示す図、図２は本考案にかかるロールシェードの第１の実施形態においてスクリーンがローラーに巻き取られた状態を概略的に示す断面図である。
【００１２】
本考案のロールシェードは、スクリーン４がローラー２に巻かれた状態とローラー２から繰り出された展開状態の間で操作可能になっており、従来と同様に、ローラー２によりスクリーン４の下側に取り付けられたスラット３を持ってスクリーン４を引き出したり、またそのスラット３を少し引張って離すと自動的に巻き戻されたりすることができるようになっている。
【００１３】
ローラー２は、軸線Ｏを中心として横長に形成されて長手方向の第一の端部２１ａと該第一の端部２１ａと反対側の第二の端部２１ｂを有し、両端部２１ａ、２１ｂの間の中央部２１ｃの外周面２２に拡径シート２３が設けられている。なお、ローラー２に関して、スクリーン４の引き出し及び巻き取りなどの機能は周知のものであるため、詳細については省略する。
【００１４】
スクリーン４は、繰り出し方向に対して両側部４１１、４１１にヘム部４２、４２が形成されている。これによって、スクリーン４が引き出されて展開されたときの展開状態に皺が寄らず良好に保持される。一方、このままスクリーン４がローラー２に巻き取られると、ヘム部４２、４２の重ね合わせによってスクリーン４の両側が中央部４１よりも高くなってしまうことになる。
【００１５】
そこで、この形態において、拡径シート２３は、それぞれがローラー２に巻き取られ開口部を有するＣの字形状断面に形成されたシートを一枚以上用い、例えば接着などによりローラー２に設ける。複数のシート２３、２３、・・・はローラー２の外周面２２を覆いながら互いに間隔をおいて並列されている。
【００１６】
図１に示すように、スクリーン４の中央部４１の上端縁部が拡径シート２３、２３、・・・とローラー２との間に挟まれて固定され、スクリーン４の下端部が拡径シート２３、２３、・・・を覆いながらローラー２に巻き取られる。図２に示すように、ローラー２に巻き取られた状態になったスクリーン４の巻取径は拡径シート２３によってヘム部４２の巻取径と等しいか又はそれよりも大きくなっているので、拡径シート２３によって両側のヘム部４２、４２の間のスクリーンが凹むことなく、とりわけヘム部４２、４２側のスクリーン４の側部４１１は隆起している。したがって、本考案のスクリーン４は従来のスクリーン１２のように両側のヘム部１２２、１２２の間のスクリーン１２１が凹むことがないので、展開されても皺が生じる不都合が大幅に低減されて、商品としての信頼性を向上させることができる。
【００１７】
[第２の実施形態]
図３は、本考案にかかるロールシェードの第２の実施形態を概略的に示す図である。図４は、本考案にかかるロールシェードの第２の実施形態においてスクリーンがローラーに巻き取られた状態を概略的に示す断面図である。
【００１８】
本実施形態のロールシェードにおいて、拡径シート２４は、ローラー２を取り囲む筒状に形成され、該拡径シート２４の軸方向の両端部２４１、２４１の間の中央部２４２が該両端部２４１、２４１よりも厚く形成されている。このようにすることにより、ローラー２に巻かれた状態になったスクリーン４の巻取径がヘム部４２の巻取径と等しく又はそれよりも大きくなり、拡径シート２４によって両側のヘム部４２、４２の間のスクリーンが凹むことがないため、スクリーン４が展開されても皺が生じない。従って、ロールシェードとしての商品の信頼性を向上させることができる。
【００１９】
[第３の実施形態]
図５は、本考案にかかるロールシェードの第３の実施形態を概略的に示す図である。
本実施形態のロールシェードでは、拡径シート２５はスクリーン４の両ヘム部４２、４２を除いた幅があり、一端部２５１の軸方向の幅が狭く他端部２５２の軸方向の幅が広い台形状にしたシートからなり、該拡径シート２５の一端部２５１がローラー２に接着されて他端部２５２がローラー２の外周面２２を覆うように設けられている。この形態において、スクリーン４の両ヘム部４２、４２以外の上端縁４１２が拡径シート２５の他端部２５２の縁２５２ａと一体に固着されることが好ましい。なお、この形態において、拡径シート２５は台形状に形成されたシートを用いたが、この形状に限らないことは言うまでも無い。
【００２０】
本実施形態のロールシェードも、拡径シート２５によってスクリーン４の巻取径を大きくすることができるので、前記実施形態と同様の効果を奏することができる。
【産業上の利用可能性】
【００２１】
本考案のロールシェードは、生地が軟らかいスクリーンを備えたロールシェードに適用されて有用である。
【符号の説明】
【００２２】
２    ローラー
２１ａ    第一の端部
２１ｂ    第二の端部
２１ｃ    中央部
２２    外周面
２３、２４、２５    拡径シート
２４１    端部
２４２    中央部
２５１、２５２    端部
２５２ａ    縁
３    スラット
４    スクリーン
４１    中央部
４１１    側部
４１２    上端縁
４２    ヘム部
【図１】
0003162944.tif 000003
【図２】
0003162944.tif 000004
【図３】
0003162944.tif 000005
【図４】
0003162944.tif 000006
【図５】
0003162944.tif 000007
【図６】
0003162944.tif 000008
【図７】
0003162944.tif 000009
【図８】
0003162944.tif 000010